【手続補正書】
【提出日】平成18年2月17日(2006.2.17)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【発明の名称】心髄位牌
【技術分野】
【０００１】  本発明は、故人を供養するための位牌（仏壇に置く位牌、過去帳代わりに使用する、繰り込み式位牌、寺位牌などを含むすべての位牌）に関するものである。
【背景技術】
【０００２】  従来位牌とは、故人の戒名（法名）が書かれた長方形の位牌で、常時仏壇に安置して、その家族が故人の供養の対象としており、殆どの場合、各位牌について一人の故人の名前となっていた。近年、故人の写真を有する位牌や、戒名入りの貴金属プレートを差替える事ができる位牌が知られている。
【発明の開示】
【本発明が解決しようとする課題】
【０００３】  しかしながら、従来位牌では、一人の故人について位牌の表側に戒名や写真が施されている、もしくは戒名や名前が書かれたプレートを取り替える事ができる構造であるが、一人以上の歴代のご先祖様を掲げる事ができず、歴代のご先祖様に対しての想いが薄くなる物であった。また、位牌が多くなった場合、位牌を置き切れなくなり過去帳に記すもしくは繰出し位牌を新たに求める必要があり、更に生前の歴代のご先祖様を思う事が難しい点が問題であった。
【０００４】  本発明の目的は、上述の点に鑑み、従来技術の利点を損なう事無く歴代のご先祖様を供養でき、家系図や過去帳としての役目も果たし、かつ、必要によっては繰出し位牌（回出し位牌）にも納める事が可能な心髄メモリアル札板を有する心髄位牌を提供する事にある。
【課題を解決するための手段】
【０００５】  この目的を達成するため、本発明は歴代のご先祖様を認識できるイメージ（写真等）や俗名などを施した心髄メモリアル札板が着脱可能な位牌とした。また、没後５０年以上経過した場合は繰出し位牌に納める事もできる着脱可能な心髄メモリアル札板を設けた。心髄メモリアル札板を一枚以上配置している為、過去帳や家系図のように使う事ができる。
【実施例】
【０００６】  図１は、第１の実施例を示す。
心髄位牌１は下部に位牌オスホゾ１ａを有しており、位牌台座１ｂが有する位牌メスホゾ１ｃに位牌オスホゾ１ａを挿入する事により、心髄位牌１を位牌台座１ｂに固定もしくは着脱可能な組み付けができる構造である。また、心髄位牌１には、固定もしくは着脱可能な状態でご先祖様一人以上の心髄メモリアル札板２を取り付けた構造となる。【０００７】  図２は、心髄位牌１に心髄メモリアル札板２を取り付けた状態と断面形状を示したものである。心髄メモリアル札板２の上部には、故人の生前のイメージ（遺影、写真、絵、彫刻など）２ａを配置し、必要によって取付けるイメージ保護カバー２ｂにより覆われている。下部には、故人の名前等（俗名、戒名、享年、絵、言葉、詩など）２ｃを配置するものである。【０００８】  心髄メモリアル札板２を心髄位牌１へ取付けた場合の断面形状としては、断面ＡＡまたは断面ＢＢに類するタイプがあり、いずれも心髄メモリアル札板２を心髄位牌１から着脱可能である。【０００９】  断面ＡＡにおいては、心髄位牌１に札板取付用穴または溝１ｄがあり、心髄メモリアル札板２に設けたスライド式取付溝を差し込む事によって取付ける構造で、心髄位牌１には強度を確保する為に位牌リブ１ｉを設ける。また、断面ＢＢにおいては、心髄位牌１に札板取付用くり貫き凹部１ｅがあり、心髄メモリアル札板２の背面に設けた札板取付凸部２ｅを嵌め込む事により固定する。【００１０】  図１の実施例においては、図２の断面ＢＢに示す構造である。【００１１】  図３は、第２の実施例を示す。
基本的な構成は図１と同様であるが、位牌台座１ｂの上端に心髄メモリアル札板２の下端が接する構造である。心髄メモリアル札板２を取り付けた状態は図２の断面ＡＡである。【００１２】  図４は、第３の実施例を示す。
基本的な構成は図３と同様であるが、心髄位牌１の上部には位牌上部フタ１ｆを設けた構造である。位牌上部フタ１ｆには、心髄メモリアル札板上部アーチ部１ｇを有する構造である。この構造により、着脱可能な心髄メモリアル札板２をスライドさせて取外す事が容易となる。【００１３】  図５は、第４の実施例を示す。
基本的な構成は図４と同様であるが、心髄位牌１と着脱可能な位牌上部フタ１ｆとの間に中間心髄位牌１ｈを取付けた構造となる。中間心髄位牌１ｈには、心髄位牌１と同様にご先祖様一人以上の着脱可能な心髄メモリアル札板２を取り付ける事が可能な構造である。【００１４】  第４の実施例は、心髄位牌１と中間心髄位牌１ｈを重ねた構造となっているが、一段以上の構造を可能とする。また、心髄位牌１、中間心髄位牌１ｈ、位牌上部フタ１ｆを一体とした構造とする事も可能である。【００１５】  図６は、第５の実施例を示す。
位牌背面板３ａを背後に配置した背面板一体型心髄位牌３は、札板３ｂに一人以上の故人の名前等２ｃを記し、背後に設けられた位牌背面板３ａには図２に示す断面ＢＢの構造により、札板取付用くり貫き凹部１ｅを有しており、札板取付凸部２ｅを嵌め込む事により着脱可能な心髄メモリアル札板２を取付ける構造となる。心髄メモリアル札板２には、第１の実施例と同様に上部には故人の生前のイメージ２ａ、必要に応じて取り付けるイメージ保護カバー２ｂを取付け、その下部には故人の名前等２ｃを配置する。【００１６】  図７は、第６の実施例を示す。
位牌台座１ｂの上部には札板３ｂが、着脱可能もしくは固定して取り付けられている。札板３ｂには、心髄メモリアル札板２が札板３ｂと固定もしくは着脱できる状態で取り付けられている、または一体となっている。心髄メモリアル札板２には、少なくとも一人以上の故人の生前のイメージ２ａや故人の名前等２ｃを、少なくとも１つ以上配置した物である。例えば、一人以上の故人の生前のイメージ２ａのみを配置する場合もある。また心髄メモリアル札板２には、心髄メモリアル札板２の少なくとも一部を覆うイメージ保護カバー２ｂを必要に応じて固定もしくは着脱可能な状態で取り付けるものである。【００１７】  図８は、第７の実施例の正面を示し、図９は、第７の実施例の側面を示す。
第７の実施例の構成は第６の実施例と同様であるが、台座４の上に心髄位牌を固定もしくは移動可能の状態で設置したものである。【００１８】図１０は、第８の実施例の側面図を示す。図９の第７の実施例に対して、あらゆる種類の電気的な光により故人のイメージを強調する為の構造を有する。
札板３ｂの少なくとも前面には、全面もしくは少なくとも一部に液晶もしくは背面からの照明を含み電気的に故人のイメージを表示できるあらゆる種類のイメージ表示装置５を取り付けた物である。【００１９】イメージ表示装置５から、札板３ｂを通り位牌台座１ｂの下端に取り付けられた表示装置側接続端子６ａまでは表示装置側配線６ｃによって結線され、更に台座４の上端に取り付けられた台座側接続端子６ｂに固定もしくは着脱可能な状態で接続される。台座側接続端子６ｂから台座４の側面もしくはその他の部位に設置されたイメージデータを読み込む為のメディア装置９までは台座側配線６ｄにより結線され、更に、外部供給もしくは台座４に内蔵できるあらゆる種類の電源７まで電源配線６ｅにより結線される。背面表示板８を台座４に設置する場合も、位牌の場合と同様の構成にて配線する物である。【００２０】メディア装置９は、あらゆる種類の小型データメディアが使用可能なメディア挿入口９ａと、外部からデータを送る事ができるコンピュータ等との接続によりデータの入れ換えが可能なＵＳＢもしくはこれに類するデータ入力接続端子９ｂ及び赤外線もしくはこれに類する無線でのデータのやり取りが可能なデータ送受信機９ｃを有する。また、メディア装置９から入力された故人のイメージデータを選択し設定する為の切換ボタン９ｄにより、イメージ表示装置５の表示を１人以上の故人のイメージ、戒名、俗名などを含む故人の名前等及び配置をいかようにもレイアウトし、切り換える事ができる。メディア装置９は、必要に応じて位牌台座１ｂ及び背面表示板８自体に内蔵する場合と内蔵せずに外部に設置する場合もあり得る。尚、イメージ表示装置５及びメディア装置９を有する構成は、本発明のすべての実施例に反映する事が可能である。【００２１】背面表示板８を設置する場合も、位牌の場合と同様に故人のイメージを選択し設定する事が可能である。また、背面表示板８は、必要に応じて固定もしくは着脱可能な状態で台座４に設置する事が可能である。更に、背面表示板８は、故人をイメージできる写真パネルを取り付ける事も可能である。
【発明の効果】
【００２２】  本発明は、以上に説明したような構成により次のような効果を奏する。
○  故人の生前のイメージ（遺影等）とその名前などを表示して、常に一人以上歴代のご先祖様を心に思って偲ぶ事ができる。
○  長年使用した心髄位牌に取り付けた心髄メモリアル札板を必要によって取外して繰出し位牌（回出し位牌）に納める事ができる。
○  一人以上歴代のご先祖様のイメージを一つの位脾に並べる事ができる為、先祖がいるから今がある事を常に想う事ができ、家系図としてもしくは過去帳としても使用する事ができる。
【図面の簡単な説明】
【００２３】
【図１】本考案の第１の実施例を示す図である
【図２】本考案における取付状態の断面形状を示す図である
【図３】第２の実施例を示す図である
【図４】第３の実施例を示す図である
【図５】第４の実施例を示す図である
【図６】第５の実施例を示す図である
【図７】第６の実施例を示す図である
【図８】第７の実施例（正面図）を示す図である
【図９】第７の実施例（側面図）を示す図である
【図１０】第８の実施例（側面図）を示す図である
【符号の説明】
【００２４】１    心髄位牌
１ａ  位牌オスホゾ
１ｂ  位牌台座
１ｃ  位牌メスホゾ
１ｄ  札板取付用穴または溝
１ｅ  札板取付用くり貫き凹部
１ｆ  位牌上部フタ
１ｇ  心髄メモリアル札板上部アーチ部
１ｈ  中間心髄位牌
１ｉ  位牌リブ
２    心髄メモリアル札板
２ａ  故人の生前のイメージ（遺影、写真、パネル、絵、彫刻など）
２ｂ  イメージ保護カバー
２ｃ  故人の名前等（俗名、戒名、享年、絵、言葉、詩など）
２ｄ  スライド式取付用溝
２ｅ  札板取付用凸部
３    背面板一体型心髄位牌
３ａ  位牌背面板
３ｂ  札板
４    台座
５イメージ表示装置（液晶、プラズマなど）
６ａ表示装置側接続端子
６ｂ台座側接続端子
６ｃ表示装置側配線
６ｄ台座側配線
６ｅ電源配線
７電源
８背面表示板（液晶、プラズマ、写真パネルなど）
９メディア装置
９ａメディア挿入口
９ｂデータ入力接続端子
９ｃデータ送受信機
９ｄ切換ボタン
【手続補正２】
【補正対象書類名】図面
【補正対象項目名】図１０
【補正方法】追加
【補正の内容】
【図１０】
2005312880.tif 000001